(57)【特許請求の範囲】
【請求項１】
複数段のキー配列から構成されるキーボードと、
押下されたキーの組み合わせに対応する文字を記録した変換辞書と、
押下されたキーの組み合わせを、前記変換辞書を参照することで、対応する文字に変換する変換処理手段とを備える文字入力装置であって、
前記キーボードは、各キーに、ア段の文字と、該各キーが配置される段に対応する母音と、が割り当てられ、
前記変換辞書は、ア段の文字については該文字を割り当てられたキーが対応付けられ、イ段乃至オ段の文字については、子音を特定するためのア段の文字を割り当てられたキーと、母音を割り当てられたキーと、の組み合わせが対応付けられたことを特徴とする文字入力装置。
【請求項２】
前記キーボードは、３列４段のキー配列であって、各キーに対する母音の割り当ては、１段目に配置されるキーには母音イ、２段目に配置されるキーには母音ウ、３段目に配置されるキーには母音エ、４段目に配置されるキーには母音オであることを特徴とする請求項１記載の文字入力装置。
【発明の詳細な説明】
【０００１】
【発明の属する技術分野】
本発明は、携帯電話やＰＤＡ等の携帯型情報処理装置に関し、より少ないキーを用いて、より素早く操作者が文字を入力できるようにするものである。
【０００２】
【従来の技術】
携帯電話のような携帯型情報処理装置では、キーを配置する面積が少ないため、限定された数のキーしか配置することができない。すると、一つの文字を入力するのに多くのキー操作が必要になってしまっていた。
【０００３】
携帯電話の場合、一つのキーに一行の文字、例えば、「あ、い、う、え、お」の５文字を割り当て、キーの押下回数に応じて該当する文字を入力するようにしていた。
【０００４】
例えば、「あ、い、う、え、お」が割り当てられているキーについては、そのキーを１回押せば「あ」となり、２回押せば「い」となり、３回で「う」、４回で「え」、５回で「お」となり、平均で３回のキーの押下が必要となる。
【０００５】
より少ないキーを用いて、文字を入力するものとして、特願平１１−１９３２５４号の技術を提案していたが、ローマ字入力方式であるために、い段〜お段の文字入力に２回のキーの押下を必要とするという問題があった。
【０００６】
また、携帯電話のような装置では、数値の入力が頻繁に行われるため、数値の配列（３列×４個のキー配列）を変更することは望ましくない。
【０００７】
しかしながら、先の技術は３列×５個のキー配列に適したものであるため、携帯電話のような３列×４個のキー配列（「１、２、３」と「４、５、６」と「７、８、９」と「＊、０、＃」）への適用に問題があった。
【０００８】
さらに従来から、携帯型の文字入力手段として、数々の変換方式や専用キーボードの技術は存在していた。しかし、あまりにも特殊なキー配列となり利用の拡大には寄与していなかった。
【０００９】
【発明が解決しようとする課題】
本発明の課題は、携帯電話のような３列のキー配列で、日本語の文字入力を行うときに、複数の子音キーと母音キーを同時又はほぼ同時に打って、ローマ字２字〜３字を１回の打鍵で出来る文字入力装置を提供するところにある。
【００１０】
もう一つの課題は、あ段の文字「あ、か、さ、た、な、は、ま、や、ら、わ」と、「を、ん」の文字を少ないキー操作で行えるようにするところにある。
【００１１】
【課題を解決するための手段】
日本語の文字入力を容易にするという課題は、１つのキーに子音と仮想の母音を割り当てたキーボードと、子音の選択としての第一のキーの入力を受け付け、母音の選択としての第二のキーの入力を受け付けることにより、対応する文字に変換する変換手段を備えることで解決される。
【００１２】
また、あ段の入力を容易にするという課題は、仮想の母音として、い段、う段、え段、お段のキーを配置し、あ段については該当する子音キーの入力を受け付けることにより、対応する文字に変換する変換手段を備えることで解決される。
【００１３】
【発明の実施の形態】
図１は、本発明の構成を示す図であり、１００はキーボタンを有するキーボード、１１０は左側のキー群、１２０は右側のキー群、１３０は中央のキー群である。左側のキー群１１０、右側のキー群１２０、および中央のキー群１３０には、子音と仮想母音（「ｉ」「ｕ」「ｅ」「ｏ」）とが割り当てられている。
【００１４】
１４０は無変換キー、１５０は変換キー、１７０は変換辞書、１８０は表示装置である。１６０は、操作者が操作したキーボタン１１０、１２０、１３０、および１５０の情報と変換辞書１７０の内容に基づいて、変換結果を表示装置１８０に表示させる変換手段である。
【００１５】
図２は、第１の実施例（携帯電話／ＰＨＳ）の外観図である。上部に入力されたひらがなを漢字に変換する際に使用するボタンが配してある。左側のキー群１１０（数字キー「１」「４」「７」「＊」の列）と、右側のキー群１２０（数字キー「３」「６」「９」「＃」の列）と、中央のキー群１３０（数字キー「２」「５」「８」「０」の列）には、子音と仮想母音（「ｉ」「ｕ」「ｅ」「ｏ」）が割り当ててある。
【００１６】
本発明の携帯電話では２種類の文字入力モードがある。従来型の「かなめくり方式」と本発明の「かなめくり兼ローマ字同時打鍵混合方式（以下、仮名入力モードと言う）」がある。キーの割り当てについて説明する。
【００１７】
左側のキー群１１０には、キー１、キー４、キー７、キー＊がが割り当てられている。
【００１８】
仮名入力モードのキー１には、母音として「ａ」が割り当てられている。
【００１９】
本キーが、中央のキー群１３０や右側のキー群１２０のキーが押された直後又はほぼ同時に押下された場合の仮想母音として仮想母音２「ｉ」が割り当てられている。
【００２０】
仮名入力モードのキー４には、子音とし「Ｔ」が割り当てられている。
【００２１】
本キーが、中央のキー群１３０や右側のキー群１２０のキーが押された直後又はほぼ同時に押下された場合の仮想母音として仮想母音３「ｕ」が割り当てられている。
【００２２】
本キーが連続２回押された場合の子音として「Ｄ」が割り当てられている。
【００２３】
仮名入力モードのキー７には、子音として「Ｍ」が割り当てられている。
【００２４】
本キーが、中央のキー群１３０や右側のキー群１２０のキーが押された直後又はほぼ同時に押下された場合の仮想母音として仮想母音４「ｅ」が割り当てられている。
【００２５】
仮名入力モードのキー＊には、小文字を入力するためのキーが割り当てられている。
【００２６】
本キーが、中央のキー群１３０や右側のキー群１２０のキーが押された直後又はほぼ同時に押下された場合の仮想母音として仮想母音５「ｏ」が割り当てられている。
【００２７】
次に、右側のキー群１２０には、キー３、キー６、キー９、キー＃がが割り当てられている。
【００２８】
仮名入力モードのキー３には、子音とし「Ｓ」が割り当てられている。
【００２９】
本キーが、中央のキー群１３０や左側のキー群１１０のキーが押された直後又はほぼ同時に押下された場合の仮想母音として仮想母音２「ｉ」が割り当てられている。
【００３０】
本キーが連続２回押された場合の子音として「Ｚ」が割り当てられている。
【００３１】
仮名入力モードのキー６には、子音とし「Ｈ」が割り当てられている。
【００３２】
本キーが、中央のキー群１３０や左側のキー群１１０のキーが押された直後又はほぼ同時に押下された場合の仮想母音として仮想母音３「ｕ」が割り当てられている。
【００３３】
本キーが連続２回押された場合の子音として「Ｂ」が割り当てられている。
【００３４】
仮名入力モードのキー９には、子音として「Ｒ」が割り当てられている。
【００３５】
本キーが、中央のキー群１３０や左側のキー群１１０のキーが押された直後又はほぼ同時に押下された場合の仮想母音として仮想母音４「ｅ」が割り当てられている。
【００３６】
仮名入力モードのキー＃には、濁音半濁音「゛」「゜」を入力するためのキーが割り当てられている。
【００３７】
本キーが、中央のキー群１３０や左側のキー群１１０のキーが押された直後又はほぼ同時に押下された場合の仮想母音として仮想母音５「ｏ」が割り当てられている。
【００３８】
次に、中央のキー群１３０には、キー２、キー５、キー８、キー０がが割り当てられている。
【００３９】
仮名入力モードのキー２には、子音とし「Ｋ」が割り当てられている。
【００４０】
本キーが、左側のキー群１１０や右側のキー群１２０のキーが押された直後又はほぼ同時に押下された場合の仮想母音として仮想母音２「ｉ」が割り当てられている。
【００４１】
本キーが連続２回押された場合の子音として「Ｇ」が割り当てられている。
【００４２】
仮名入力モードのキー５には、子音とし「Ｎ」が割り当てられている。
【００４３】
本キーが、左側のキー群１１０や右側のキー群１２０のキーが押された直後又はほぼ同時に押下された場合の仮想母音として仮想母音３「ｕ」が割り当てられている。
【００４４】
仮名入力モードのキー８には、子音として「Ｙ」が割り当てられている。
【００４５】
本キーが、左側のキー群１１０や右側のキー群１２０のキーが押された直後又はほぼ同時に押下された場合の仮想母音として仮想母音４「ｅ」が割り当てられている。
【００４６】
仮名入力モードのキー０には、子音として「Ｗ（わ・を）」および「ん」が割り当てられている。
【００４７】
本キーが、左側のキー群１１０や右側のキー群１２０のキーが押された直後又はほぼ同時に押下された場合の仮想母音として仮想母音５「ｏ」が割り当てられている。
【００４８】
入力キーのかなへの変換は、図１における変換処理手段（変換処理プログラム）１６０が変換辞書１７０を参照して行う。変換辞書に格納された変換規則の理解を容易にするために、その実施例を図２に、その規則を図３に示した。
【００４９】
図３は、行（あ行、か行、さ行・・・）と段（ア段、イ段、ウ段・・）の対応表で、変換後の文字と、ローマ字、押下するキーの３つの情報を、「仮名入力モード」と「かなめくり方式」を並べて記載したものである。
【００５０】
例えば、か行のＫの行のア段には、「か  ＫＡ  ２」と記載されている。これは、「か」を入力するためには、キー２を１打することで結果が得られること示している。また、か行のＫの行のイ段には、「き  ＫＩ  ２＋１（ｉ）」と記載されている。これは、「き」を入力するためには、キー２（Ｋ）を１打し、
キー２が押された直後又はほぼ同時に、仮想母音としてのキー１（ｉ）を押下することで結果が得られること示している。
【００５１】
もう少し具体的に「か」と「き」の入力については、モールス信号の「トン」「ツー」のように、短い時間（Δｔ）と長い時間（２Δｔ）で区別する。「柿」を入力するには、「か」としてキー２（Ｋ／Ｇ）を長い時間（２Δｔ）押して「か」を表示する。次に「き」としてキー２（Ｋ／Ｇ）を短い時間（Δｔ）押してから直ぐに、キー１（ｉ）を短い時間（Δｔ）押すことにより「き」を表示する。
【００５２】
（従来の仮名めくり入力方式で、「き」を入力するためには、か行のＫの行のイ段には、「き  ＫＩ  ２（空白）２」と記載されている。つまり、従来の仮名めくり入力方式で、仮名を入力する場合には、キー２（Ｋ／Ｇ）を長い時間（２Δｔ）又は短い時間（Δｔ）押してから、ゆっくりと、キー１（ｉ）を長い時間（２Δｔ）又は短い時間（Δｔ）押すことにより「き」を表示する。または、ファンクションキー等で入力モードを切り替える場合の仮名めくり入力方式で、仮名を入力する場合には、キー２（Ｋ／Ｇ）を２度押すことにより「き」を表示する。）
仮名漢字の変換ボタンを押すことにより「柿」や「下記」など所望の文字表示されるので選択をする。
【００５３】
この時「か」の入力例としては、表示装置１８０には、キー２（Ｋ／Ｇ）を長い時間（２Δｔ）押す間の経過として、短い時間（Δｔ）の時には「Ｋ」が表示されてから、しばらくして長い時間（２Δｔ）となってから「か」が表示されることにより入力状態を把握することができる。
【００５４】
さらに、キー２が２度連続して操作された後に操作される仮想母音の種類により、「が、ぎ、ぐ、げ、ご」と濁音の入力に変換可能となる。
【００５５】
例えば、か行のＧの行のイ段には、「ぎ  ＧＩ  ２２＋１（ｉ）」と記載されている。これは、「ぎ」を入力するためには、キー２（Ｋ／Ｇ）を２打し、２打目のキー２が押された直後又はほぼ同時に、仮想母音としてのキー１（ｉ）を押下することで結果が得られること示している。
【００５６】
もう少し具体的に「が」と「ぎ」の入力については、モールス信号の「トン」「ツー」のように、短い時間（Δｔ）と長い時間（２Δｔ）で区別する。「画着」を入力するには、「が」としてキー２（Ｋ／Ｇ）を短い時間（Δｔ）１度押してから長い時間（２Δｔ）１度押して「が」を表示する。次に「ぎ」としてキー２（Ｋ／Ｇ）を短い時間（Δｔ）２度押してから直ぐに、キー１（ｉ）を短い時間（Δｔ）押すことにより「ぎ」を表示する。
【００５７】
（なお、従来の仮名めくり入力方式で、仮名を入力する場合には、キー２（Ｋ／Ｇ）を２度押してから、キー＃（＃）を押すことにより「ぎ」を表示する。）仮名漢字の変換ボタンを押すことにより「画着」など所望の文字表示されるので選択をする。
【００５８】
この時「が」の入力例としては、表示装置１８０には、キー２（Ｋ／Ｇ）を２回押す間の経過として、１打目の短い時間（Δｔ）の時には「Ｋ」が表示されて、２打目のキー２（Ｋ／Ｇ）を短い時間（Δｔ）で「Ｇ」が表示されてのを経由してから、しばらく長い時間（２Δｔ）押して「が」が表示されることにより入力状態を把握することができる。
【００５９】
注目すべき点としては、従来の入力方式の「かなめくり方式」が有利な「ア段」「わ」「を」「ん」などは、「かなめくり方式」を採用し、
ローマ字入力と同じ打鍵数の「イ段」および打鍵数が多くなる「ウ段」「エ段」「オ段」は、仮名入力モードの方式で入力打鍵数を低減することである。
【００６０】
変換処理プログラムの処理フローチャートを、図４に示した。まず、操作者が入力したキーの数値（キーの識別情報）を記憶する（ステップ３１０）、そして、未変換の数値データをキーにして変換辞書を検索する（ステップ３２０）。辞書に対応する文字があったか判定し（ステップ３３０）、もしあれば該当する文字を表示し、その以降の入力を変換対象とする（ステップ３６０）。
【００６１】
もしなければ、未変換の数値の個数が制限数以上であるかを判定し（ステップ３４０）、制限数未満であれば、次の操作者のキー入力を待つ（ステップ３１０へ）。もし、制限数以上であれば、入力された未変換のキーの数値を変換せずに表示し、それ以降の入力を変換対象とする（ステップ３５０）。
【００６２】
第二の実施例として、仮想母音として「ｕ」「ｅ」「ｏ」を配置した例を説明する。
【００６３】
図５は、本発明の構成を示す図であり、１００はキーボタンを有するキーボード、１１０は左側のキー群、１２０は右側のキー群、１３０は中央のキー群である。左側のキー群１１０、右側のキー群１２０、および中央のキー群１３０には、子音と仮想母音（「ｕ」「ｅ」「ｏ」）とが割り当てられている。
【００６４】
１４０は無変換キー、１５０は変換キー、１７０は変換辞書、１８０は表示装置である。１６０は、操作者が操作したキーボタン１１０、１２０、１３０、および１５０の情報と変換辞書１７０の内容に基づいて、変換結果を表示装置１８０に表示させる変換手段である。
【００６５】
図６は、第２の実施例（携帯電話／ＰＨＳ）の外観図である。上部に入力されたひらがなを漢字に変換する際に使用するボタンが配してある。左側のキー群１１０（数字キー「１」「４」「７」「＊」の列）と、右側のキー群１２０（数字キー「３」「６」「９」「＃」の列）と、中央のキー群１３０（数字キー「２」「５」「８」「０」の列）には、子音と仮想母音（「ｕ」「ｅ」「ｏ」）が割り当ててある。
【００６６】
本発明の携帯電話では２種類の文字入力モードとがある。従来型の「かなめくり方式」と本発明の「かなめくり兼ローマ字同時打鍵混合方式（以下、仮名入力モードと言う）」がある。キーの割り当てについて説明する。
【００６７】
左側のキー群１１０には、キー１、キー４、キー７、キー＊がが割り当てられている。
【００６８】
仮名入力モードのキー１には、母音として「ａ」が割り当てられている。
【００６９】
本キーが、中央のキー群１３０や右側のキー群１２０のキーが押された直後又はほぼ同時に押下された場合の仮想母音として仮想母音３「ｕ」が割り当てられている。
【００７０】
仮名入力モードのキー４には、子音とし「Ｔ」が割り当てられている。
【００７１】
本キーが、中央のキー群１３０や右側のキー群１２０のキーが押された直後又はほぼ同時に押下された場合の仮想母音として仮想母音４「ｅ」が割り当てられている。
【００７２】
本キーが連続２回押された場合の子音として「Ｄ」が割り当てられている。
【００７３】
仮名入力モードのキー７には、子音として「Ｍ」が割り当てられている。
【００７４】
本キーが、中央のキー群１３０や右側のキー群１２０のキーが押された直後又はほぼ同時に押下された場合の仮想母音として仮想母音５「ｏ」が割り当てられている。
【００７５】
仮名入力モードのキー＊には、小文字を入力するためのキーが割り当てられている。
【００７６】
次に、右側のキー群１２０には、キー３、キー６、キー９、キー＃がが割り当てられている。
【００７７】
仮名入力モードのキー３には、子音とし「Ｓ」が割り当てられている。
【００７８】
本キーが、中央のキー群１３０や左側のキー群１１０のキーが押された直後又はほぼ同時に押下された場合の仮想母音として仮想母音３「ｕ」が割り当てられている。
【００７９】
本キーが連続２回押された場合の子音として「Ｚ」が割り当てられている。
【００８０】
仮名入力モードのキー６には、子音とし「Ｈ」が割り当てられている。
【００８１】
本キーが、中央のキー群１３０や左側のキー群１１０のキーが押された直後又はほぼ同時に押下された場合の仮想母音として仮想母音４「ｅ」が割り当てられている。
【００８２】
本キーが連続２回押された場合の子音として「Ｂ」が割り当てられている。
【００８３】
仮名入力モードのキー９には、子音として「Ｒ」が割り当てられている。
【００８４】
本キーが、中央のキー群１３０や左側のキー群１１０のキーが押された直後又はほぼ同時に押下された場合の仮想母音として仮想母音５「ｏ」が割り当てられている。
【００８５】
仮名入力モードのキー＃には、濁音半濁音「゛」「゜」を入力するためのキーが割り当てられている。
【００８６】
次に、中央のキー群１３０には、キー２、キー５、キー８、キー０がが割り当てられている。
【００８７】
仮名入力モードのキー２には、子音とし「Ｋ」が割り当てられている。
【００８８】
本キーが、左側のキー群１１０や右側のキー群１２０のキーが押された直後又はほぼ同時に押下された場合の仮想母音として仮想母音３「ｕ」が割り当てられている。
【００８９】
本キーが連続２回押された場合の子音として「Ｇ」が割り当てられている。
【００９０】
仮名入力モードのキー５には、子音とし「Ｎ」が割り当てられている。
【００９１】
本キーが、左側のキー群１１０や右側のキー群１２０のキーが押された直後又はほぼ同時に押下された場合の仮想母音として仮想母音４「ｅ」が割り当てられている。
【００９２】
仮名入力モードのキー８には、子音として「Ｙ」が割り当てられている。
【００９３】
本キーが、左側のキー群１１０や右側のキー群１２０のキーが押された直後又はほぼ同時に押下された場合の仮想母音として仮想母音５「ｏ」が割り当てられている。
【００９４】
仮名入力モードのキー０には、子音として「Ｗ（わ・を）」および「ん」が割り当てられている。
【００９５】
入力キーのかなへの変換は、図５における変換処理手段（変換処理プログラム）１６０が変換辞書１７０を参照して行う。変換辞書に格納された変換規則の理解を容易にするために、その実施例を図６に、その規則を図７に示した。
【００９６】
図7は、行（あ行、か行、さ行・・・）と段（ア段、イ段、ウ段・・）の対応表で、変換後の文字と、ローマ字、押下するキーの３つの情報を記載したものである。
【００９７】
例えば、か行のＫの行のア段には、「か  ＫＡ  ２」と記載されている。これは、「か」を入力するためには、キー２を１打することで結果が得られること示している。また、か行のＫの行のイ段には、「き  ＫＩ  ２２」と記載されている。これは、「き」を入力するためには、キー２（Ｋ）を２打することで結果が得られること示している。
【００９８】
もう少し具体的に「か」と「き」の入力については、モールス信号の「トン」「ツー」のように、短い時間（Δｔ）と長い時間（２Δｔ）で区別する。「柿」を入力するには、「か」としてキー２（Ｋ／Ｇ）を長い時間（２Δｔ）押して「か」を表示する。次に「き」としてキー２（Ｋ／Ｇ）を短い時間（Δｔ）１度押してから長い時間（２Δｔ）１度押して「き」を表示する。
【００９９】
仮名漢字の変換ボタンを押すことにより「柿」や「下記」など所望の文字表示されるので選択をする。
【０１００】
この時「き」の入力例としては、表示装置１８０には、キー２（Ｋ／Ｇ）を２回押す間の経過として、１打目の短い時間（Δｔ）の時には「Ｋ」が表示されて、２打目のキー２（Ｋ／Ｇ）を長い時間（２Δｔ）押して「き」が表示されることにより入力状態を把握することができる。
【０１０１】
またキー２が操作された後にキー＃を操作することにより「が」に変換され、キー２が２度連続して操作された後にキー＃を操作することにより「ぎ」に変換される。更に、キー２が２度連続して操作された後に操作される仮想母音の種類により、「ぐ、げ、ご」と濁音の入力に変換可能となる。
【０１０２】
つまり、か行のＧの行のイ段には、「ぎ  ＧＩ  ２２＃」と記載されている。これは、「ぎ」を入力するためには、キー２（Ｋ／Ｇ）を２打し、２打目のキー２が押された直後又はほぼ同時に、キーを押下することで結果が得られること示している。
【０１０３】
もう少し具体的に「が」と「ぎ」の入力については、モールス信号の「トン」「ツー」のように、短い時間（Δｔ）と長い時間（２Δｔ）で区別する。「画着」を入力するには、「が」としてキー２（Ｋ／Ｇ）を長い時間（Δｔ）１度押してからキー＃（＃）を１度押して「が」を表示する。
【０１０４】
次に「ぎ」としてキー２（Ｋ／Ｇ）を短い時間（Δｔ）２度押してからキー＃（＃）を１度押して「ぎ」を表示する。
【０１０５】
仮名漢字の変換ボタンを押すことにより「画着」など所望の文字表示されるので選択をする。
【０１０６】
この時「ぎ」の入力例では、表示装置１８０には、キー２（Ｋ／Ｇ）を２回押す間の経過として、１打目の短い時間（Δｔ）の時には「Ｋ」が表示されて、２打目のキー２（Ｋ／Ｇ）を押して「き」が表示されて、３打目のキー＃（＃）を押すことにより「ぎ」が表示されることにより入力状態を把握することができる。
【０１０７】
注目すべき点としては、従来の入力方式の「かなめくり方式」が有利な「ア段」および「イ段」「わ」「を」「ん」などは、「かなめくり方式」を採用し、
ローマ字入力より打鍵数が多くなる「ウ段」「エ段」「オ段」は、仮名入力モードの方式で入力打鍵数を低減することである。
【０１０８】
変換処理プログラムの処理フローチャートを、図８に示した。まず、操作者が入力したキーの数値（キーの識別情報）を記憶する（ステップ３１０）、そして、未変換の数値データをキーにして変換辞書を検索する（ステップ３２０）。辞書に対応する文字があったか判定し（ステップ３３０）、もしあれば該当する文字を表示し、その以降の入力を変換対象とする（ステップ３６０）。
【０１０９】
もしなければ、未変換の数値の個数が制限数以上であるかを判定し（ステップ３４０）、制限数未満であれば、次の操作者のキー入力を待つ（ステップ３１０へ）。もし、制限数以上であれば、入力された未変換のキーの数値を変換せずに表示し、それ以降の入力を変換対象とする（ステップ３５０）。
【０１１０】
【発明の効果】
本発明により、携帯電話やテンキーボードに装着されている３列×４個の１２個のキーの数で、日本語の文字入力を行うときに、複数の子音キーと母音キーを、同時（親指など２本の指）又はほぼ同時（親指など１本の指）に打って、あ段の仮名文字１字と、い段〜お段の仮名文字にあたるローマ字２〜３字を１回の打鍵で入力可能になる。
【０１１１】
本発明により、少ないキーしか有していないキーボードで、より少ないストローク数で日本語の文字入力を行うことができるようになり、携帯電話やテンキーボードに装着されている程度のキーの数で入力可能になる。
【図面の簡単な説明】
【図１】本発明の第一の実施例におけるシステム構成図
【図２】本発明の第一の実施例における携帯電話キー配列例を示す図
【図３】本発明の第一の実施例における５０音変換規則を示す図
【図４】本発明の第一の実施例における処理フローチャート
【図５】本発明の第二の実施例におけるシステム構成図
【図６】本発明の第二の実施例における携帯電話キー配列例を示す図
【図７】本発明の第二の実施例における５０音変換規則を示す図
【図８】本発明の第二の実施例における処理フローチャート
【符号の説明】
１００  キーボード
１１０  左側のキー群
１２０  右側のキー群
１３０  中央のキー群
１４０  無変換キー
１５０  変換キー
１６０  変換処理手段
１７０  変換辞書
１８０  表示装置
【図１】
0004029561.tif 000002
【図２】
0004029561.tif 000003
【図３】
0004029561.tif 000004
【図４】
0004029561.tif 000005
【図５】
0004029561.tif 000006
【図６】
0004029561.tif 000007
【図７】
0004029561.tif 000008
【図８】
0004029561.tif 000009